(57)【要約】      （修正有）【課題】節電効果を高めた送風調節式温室カーテンを提供する。【解決手段】上部フィルム２が農業用ポリオレフィン系特殊フィルム、下部フィルム３が布態様としたポリビニールアルコール樹脂で形成されたカーテン１の開口端を床面側に臨ませ、上部フィルム２の上面に押さえ線９、下部フィルム２の下面に上部フィルムの間隔よりも狭幅とした棚線１０を取り付け、カーテン１内に気体を送る送風機４がタイマーの操作によって送風時間よりも停止時間を長くするように設定する。【選択図】図３
0003172466.tif 000002
【実用新案登録請求の範囲】
【請求項１】
温室の天井近傍等に上下二枚のフィルムからなるカーテンを張架してその内部に気体を封入する温室カーテンにおいて、上部フィルムが農業用ポリオレフィン系特殊フィルム、下部フィルムが布態様としたポリビニールアルコール樹脂で形成され、温室の前後妻面近傍に沿って垂設したカーテンの開口端を床面側に臨ませ、上部フィルムの上面に押さえ線、下部フィルムの下面に上部フィルムの間隔よりも狭幅とした棚線を配するとともに、カーテン内に気体を送る送風機がタイマー操作によって送風時間よりも停止時間を長くしてオンオフを繰り返すことを特徴とする送風調節式温室カーテン。
［０００９］
前記タイマーは、３０分〜１時間程度送風機を動かし、その後３時間ほど送風機の稼動を停止するように設定することを特徴とする請求項１記載の送風調節式温室カーテン。
【考案の詳細な説明】
【技術分野】
【０００１】  本考案は、植物栽培用温室の天井近傍等に張設して温室を適温に保ち、節電効率を高めることのできる送風調節式温室カーテンに関する。
【背景技術】
【０００２】  植物栽培のために温室は適温に保たれていることが必要で、そのために天井近傍や両サイドにはフィルム状のカーテンが張設されている。近時このカーテンはプラスチック等を素材とする二重構造のフィルムで構成され、その中に気体を封入して膨隆状とするものが広く知られている（例えば特許文献１〜２参照）。
【先行技術文献】
【特許文献】
【０００３】
【特許文献１】特開昭５２−８１２４２号公報
【特許文献２】特開２００５−３３３９３２号公報
【考案の概要】
【考案が解決しようとする課題】
【０００４】  特許文献１には、フィルム間に気室を形成する二重プラスチックフィルムの気室中に気体を封入することによりハウス内温度を調節することを特徴とする農業用ハウスの温度調節法及び温度調節用プラスチックフィルムが記載されている。この技術では気室中に封入された気体によって全体が膨隆し、気体の温熱によって温室内が温められることは理解できるが、気体封入を止めるとフィルム内は漸次冷えてきてフィルム内に水滴が滞留し、この水滴によってフィルム相互が吸着するためフィルムを収縮・開展するときの操作がスムースにいかないという問題がある。【０００５】  特許文献２には、ポリオレフィン系樹脂又は塩化ビニル樹脂からなるフィルムを素材とし、二枚重ねてチューブ形態に形成するとともにチューブには多数の空気抜き孔が分布された農業用空気膜フィルムが記載されている。この技術では適度な大きさの空気抜き孔によって温室内の保温効率が良くなることを謳っているが、空気を抜いたときに十分な結露の発生を抑止できるか否かは不明であるのと、水滴が残った場合に重ねたフィルム同士が吸着して折り畳み動作に支障を生じるおそれなしとしない。【０００６】  ところで従来のものはフィルムを膨隆させるために当然ながら送風機を用いるが、送風機の稼動は温室内の温度が下がった夜間および冬季での使用頻度が高く、通常は送風機をフル回転させて温室を一定温度に保つという手法がとられている。しかしながらこのように常時送風機を働かせることは節電上好ましくなく、また機器に及ぼす負担も過重となるためその寿命を短くするという懸念がある。【０００７】  本考案はこのような従来技術に鑑みてなされたものであり、カーテンを構成する二枚のフィルムを膨隆するための送風機の稼動を調節して節電効率を高め、機器にかかる負担を軽減して長期にわたり正常な作動をする送風調節式温室カーテンを提供するものである。
【課題を解決するための手段】
【０００８】  すなわち本考案は、温室の天井近傍等に上下二枚のフィルムからなるカーテンを張架してその内部に気体を封入する温室カーテンにおいて、上部フィルムが農業用ポリオレフィン系特殊フィルム、下部フィルムが布態様としたポリビニールアルコール樹脂で形成され、温室の前後妻面近傍に沿って垂設したカーテンの開口端を床面側に臨ませ、上部フィルムの上面に押さえ線、下部フィルムの下面に上部フィルムの間隔よりも狭幅とした棚線を配するとともに、カーテン内に気体を送る送風機がタイマー操作によって送風時間よりも停止時間を長くしてオンオフを繰り返すことを特徴とする送風調節式温室カーテンを主旨としている。【０００９】  前記タイマーは、３０分〜１時間程度送風機を動かし、その後３時間ほど送風機の稼動を停止するように設定することを特徴とする。
【考案の効果】
【００１０】  カーテンを構成する上部フィルムは気体を逃さず雨水などが入る込むこともないが、下部フィルムは素材が透湿性・保温性等にすぐれ、布態様に加工してあるためカーテン内部に気体を送り込むと膨隆した下部フィルムからは気体がじわじわと全面から発散される。カーテン内に気体を送るための送風機は一旦スイッチオンしたものが連続して何時間も稼動するというものではなく、送風機に取り付けたタイマーによって送風時間よりも停止時間を短く設定していて従来よりも頗る高い節電効果をもたらす。連続送風する従来の形式ではカーテン内が絶えず気体によって満たされているため時間の経過とともに予測しない高い温熱がカーテン内部に滞留するだけでなく、温室内にも適温以上の熱が及ぶため必ずしも植物育成に妥当するとは言いがたい。本来短時間の送風で十分に気体がカーテン内に行き渡ることが理想的でもあり、本考案のような素材をフィルムとすることでカーテン内温度が十分に保たれることと、その優れた断熱効果によって温室内の温度設定にも支障を生じることがないことが確認された。【００１１】  送風機の稼動時間をタイマー設定によって停止時間よりも短くすると、余分な気体の滞留時間が抑えられるためカーテンを開いたときの急激な冷えによる結露の発生もなく、フィルム同士が水滴により吸着しないためカーテンの開方向への移動がスムースに行われる。開方向へ移動したカーテンは所定位置で収束状となるが、再び閉じる方向へと移動する場合も折り畳み隣接箇所の水滴による付着がないためこの場合もスムースな作動が所期される。そして送風機の間歇的な稼動は連続運転のような機器のストレス発生も回避でき、その分経年劣化が抑えられるという副次的効果も得られる。
【図面の簡単な説明】
【００１２】
【図１】温室内に張架したカーテンの外観図である。
【図２】本考案の概略を示すブロック図である。
【図３】カーテンの張架状態を温室の側面から見た説明図である。
【図４】カーテンの張架状態を温室の妻面側から見た説明図である。
【考案を実施するための形態】
【００１３】  考案を実施するための形態を図面に基づき説明すると、図１および図２に示したとおり温室Ａにはカーテン１が張架されて温室内の適温が保たれるようになっている。カーテン１は農業用ポリオレフィン系特殊フィルムからなる上部フィルム２とポリビニール樹脂を布態様に形成した下部フィルム３の二枚を重ね合わせた二重構造のもので、送風機４から気体をカーテン内部に送り込むことによって全体が膨隆し、布態様とした下部フィルム３から気体がじわじわと温室Ａ内に充満する。
【００１４】  カーテン１の前後面は温室Ａの妻側に沿って垂設され、その開口端１ａから気体が温室Ａの床面に排出される。カーテン１には妻面側に補助カーテン５、温室側面にサイドカーテン６を設けることが好ましく、それらはカーテン１と分岐管７を介して連通され、カーテン１からの気体が満遍なく行き渡って温室Ａの妻側と両サイドからの気体流出を防止するため温室Ａの適温維持に好適し、十分な断熱効果を発揮する。
【００１５】  カーテンＡに気体を送る送風機４はカーテンＡの要所要所に配置され、タイマー８によって送風時間の調節制御が行われる。すなわち従来であると当然ながら長時間にわたって送風機の連続運転が行われるため相当量の電力消費となっていわゆる節電対策とは無縁の稼動がなされていたことは否めないが、本考案ではタイマー８を送風機４に付設することにより嘗てない節電効果をあげることができる。このことはカーテン１自体の構成にも預かることが少なくなく、就中下部フィルム３がポリビニール樹脂を布態様に形成したことによる気体の保温効果が発揮されている点を挙げることができる。つまり布態様とした下部フィルム３は、フィルムに小孔をあけるのと異なって気体がフィルムから滲み出るような自然放出が可能となり、滲み出た気体が温室内に滞留する時間も十分に認められるからである。
【００１６】  タイマー８は２４時間もので１５分おき程度に切り替えできるものを用いるようにするが、温室内が冷えている場合とそうでない場合、また温室の大小によっても送風時間は異なることは当然であるが、それらを考慮しても３０分〜１時間稼動すれば十分であり、タイマー８の送風後は３時間ほど稼動を停止しても温室Ａの適温は保たれる。そして３時間経過後に再び送風機４を稼動するようにタイマー設定すれば、その繰り返しによって温室の冷えは回避され、植物の育成は頗る良好な環境となる。
【００１７】  図３及び図４は温室Ａ内のカーテン張架状態を示すもので、図３では送風機４から送られた気体によって膨隆したカーテン１の上部フィルム２が押さえ線９の箇所で凹み、下部フィルム３が棚線１０の箇所で凹む様子が示されていて押さえ線９の間隔を１５０ｃｍにすると棚線１０は５０ｃｍの間隔がとられ、両者の間隔は棚線１０の方が幅狭であるが、これは上部フィルム２よりも下部フィルム３に気体充満時に負荷がかかりやすいため棚線１０が支えの働きをするという理由による。上部フィルム２と下部フィルム３は押さえ線９と棚線１０によって膨らみが抑えられカーテン１は上下部で膨らみ加減が異なるものの全体が波形状となる。
【００１８】  分岐管７を介してカーテン１と連通する妻側の補助カーテン５もカーテンに気体が充満すると同時に膨隆し、またサイドカーテン６も膨隆して夫々が温熱機能を発揮するため温室Ａ内の保温状態が良好に推移する。そしてタイマー操作により送風機４の稼動を停止するとカーテン１内の気体も自然減少するが、充満時の気体によって温められたカーテン１は急激に冷えることはなく、カーテン１を開放するわけではないため気体の発散も抑制され、前記したように３時間程度は温室内の保温状態に支障は生じないのでその分多大な節電効果が所期される。
【００１９】  カーテン１０によって温室Ａが閉じられると、図４のとおり温室の両サイド側もサイドカーテン６で閉じられるが、開放時にはモーターＭで可動する駆動ワイヤー１１の作動によって個別のカーテン１０が中央と両サイド側の滑車１２に向かって移動し夫々が収束されるため天井部分が開かれるとともに、補助カーテン５とサイドカーテン６は巻き上げ機１３を用いることで随時開かれる。
【００２０】  前記の実施形態ではタイマー時間等の具体的数値を示してあるが、本考案の目的効果を奏する範囲においてそれら数値の前後の数値も包含するものであり、またカーテン１の開閉操作及び送気手段は従来周知の手法を採用でき、本考案は温室Ａの保温状態を一層向上させるための手段、例えば温室内の角部にビニールシートを平面Ｌ字形に設置してこの箇所からの気体漏出を未然に防止することなどを付加加したりすることもできるが、それらも本考案の自由な実施の範疇に属する。
【符号の説明】
【００２１】Ａ    温室
１    カーテン
２    上部フィルム
３    下部フィルム
４    送風機
５    補助カーテン
６    サイドカーテン
７    分岐管
８    タイマー
９    押さえ線
１０  棚線
１１  駆動ワイヤー
１２  滑車
１３  巻き上げ機
Ｍ    モーター
【図１】
0003172466.tif 000003
【図２】
0003172466.tif 000004
【図３】
0003172466.tif 000005
【図４】
0003172466.tif 000006
【手続補正書】
【提出日】平成23年9月28日(2011.9.28)
【手続補正１】
【補正対象書類名】実用新案登録請求の範囲
【補正対象項目名】全文
【補正方法】変更
【補正の内容】
【実用新案登録請求の範囲】
【請求項１】
温室の天井近傍等に上下二枚のフィルムからなるカーテンを張架してその内部に気体を封入する温室カーテンにおいて、上部フィルムが農業用ポリオレフィン系特殊フィルム、下部フィルムが布態様としたポニビニールアルコール樹脂で形成され、温室の前後妻面近傍に沿って垂設したカーテンの開口端を床面側に臨ませ、上部フィルムの上面に押さえ線、下部フィルムの下面に上部フィルムの間隔よりも狭幅とした棚線を配するとともに、カーテン内に気体を送る送風機がタイマー操作によって送風時間よりも停止時間を長くしてオンオフを繰り返すことを特徴とする送風調節式温室カーテン。
【請求項２】
前記タイマーは、３０分〜１時間程度送風機を動かし、その後３時間ほど送風機の駆動を停止するように設定することを特徴とする請求項１記載の送風調節式温室カーテン。